(57)【要約】【課題】汎用性の高い治具台で、所望の配索形状のワイヤハーネスを得ることができるワイヤハーネス成形方法を提供する。【解決手段】複数の電線３の外周に硬化性樹脂を含有するシート５を巻き付けて電線束７を形成する第１工程と、治具台１５上を移動可能に配置された複数の可動フォーク９に電線束７を配置する第２工程と、治具台１５上で所望の可動フォーク９を移動させ電線束７を所望の配索形状に形成する第３工程と、硬化性樹脂を硬化させ前記電線束の配索形状を保持してワイヤハーネス１を形成する第４工程とを有した。【選択図】図４
2018156878.tif 000002
【特許請求の範囲】
【請求項１】
複数の電線の外周に硬化性樹脂を含有するシートを巻き付けて電線束を形成する第１工程と、治具台上を移動可能に配置された複数の可動フォークに前記電線束を配置する第２工程と、前記治具台上で所望の前記可動フォークを移動させ前記電線束を所望の配索形状に形成する第３工程と、前記硬化性樹脂を硬化させ前記電線束の配索形状を保持してワイヤハーネスを形成する第４工程とを有することを特徴とするワイヤハーネス成形方法。
【請求項２】
請求項１記載のワイヤハーネス成形方法であって、
前記硬化性樹脂は、ホットメルトからなり、
前記ホットメルトは、前記第３工程の後に加熱されて溶融され、前記第４工程で硬化されることを特徴とするワイヤハーネス成形方法。
【発明の詳細な説明】
【技術分野】
【０００１】
本発明は、ワイヤハーネス及びワイヤハーネスの製造方法に関する。詳細には、複数の電線を一体化し所定形状に固化させたワイヤハーネス成形方法に関する。
【背景技術】
【０００２】
従来、ワイヤハーネス成形方法としては、一対のフラット整列部材に複数の電線の両端部を固定し、一方のフラット整列部材を移動させて複数の電線に張力を付与し、この張力状態の複数の電線をホットメルト接着剤が塗布されたシートで包み込み、上型と下型とでシートを挟み込んで加熱してホットメルト接着剤を溶融させ、溶融したホットメルト接着剤を硬化させてワイヤハーネスを形成するものが知られている（例えば、特許文献１参照）。
【０００３】
このワイヤハーネス成形方法では、一対のフラット整列部材に固定された複数の電線の外周にシートが巻き付けられた電線束に張力を付与することにより、電線が相互に密着して高密度に配列されたワイヤハーネスを得ることができる。
【０００４】
一方、他のワイヤハーネス成形方法としては、車体パネルの形状に合わせて配置された電線保持治具上に電線群を配置した状態で紫外線を照射することにより、電線群に巻き付けられた紫外線硬化樹脂を硬化させ、電線群を所定形状に成形するものが知られている（例えば、特許文献２参照）。
【先行技術文献】
【特許文献】
【０００５】
【特許文献１】特開平１０−２８３８５７号公報
【特許文献２】特開２０１５−４２０７３号公報
【発明の概要】
【発明が解決しようとする課題】
【０００６】
ところで、上記特許文献１のようなワイヤハーネス成形方法では、電線束が直線状に成形されているが、車両などへのワイヤハーネスの配置によっては電線束を所望の配索形状に屈曲させてワイヤハーネスを成形させる必要がある。
【０００７】
このような所望の配索形状に屈曲されたワイヤハーネスを成形するには、所望の配索形状に成形された上型と下型とで電線束を挟み込んで加熱する必要があるが、その都度、所望の配索形状に合わせて型を成形しなければならなかった。
【０００８】
一方、特許文献２のようなワイヤハーネス成形方法では、ワイヤハーネスの種類毎に、ワイヤハーネスの配索形状に合わせて治具台を設けなくてはならないと共に、複雑な配索形状のワイヤハーネスでは布線作業が繁雑になっていた。
【０００９】
そこで、この発明は、汎用性の高い治具台で、所望の配索形状のワイヤハーネスを得ることができるワイヤハーネス成形方法の提供を目的としている。
【課題を解決するための手段】
【００１０】
請求項１記載の発明は、複数の電線の外周に硬化性樹脂を含有するシートを巻き付けて電線束を形成する第１工程と、治具台上を移動可能に配置された複数の可動フォークに前記電線束を配置する第２工程と、前記治具台上で所望の前記可動フォークを移動させ前記電線束を所望の配索形状に形成する第３工程と、前記硬化性樹脂を硬化させ前記電線束の配索形状を保持してワイヤハーネスを形成する第４工程とを有することを特徴とする。
【００１１】
このワイヤハーネス成形方法では、第２工程において、治具台上を移動可能に配置された複数の可動フォークに電線束を配置するので、第３工程において、治具台上で所望の可動フォークを移動させることにより、電線束を所望の配索形状に形成することができる。
【００１２】
このため、第３工程では、所望の配索形状に合わせた型や所望の配索形状に合わせて移動不能なフォークが配置された治具台を設ける必要がなく、１つの治具台で、電線束を所望の配索形状に配置することができる。
【００１３】
従って、このようなワイヤハーネス成形方法では、１つの治具台上に移動可能に配置された複数の可動フォークの移動によって、電線束を所望の配索形状に形成することができるので、汎用性の高い治具台で、所望の配索形状のワイヤハーネスを得ることができる。
【００１４】
請求項２記載の発明は、請求項１記載のワイヤハーネス成形方法であって、前記硬化性樹脂は、ホットメルトからなり、前記ホットメルトは、前記第３工程の後に加熱されて溶融され、前記第４工程で硬化されることを特徴とする。
【００１５】
このワイヤハーネス成形方法では、硬化性樹脂が、ホットメルトからなるので、第３工程で所望の配索形状に配置された電線束を加熱してホットメルトを溶融させればよく、容易に所望の配索形状に形成されたワイヤハーネスを得ることができる。
【発明の効果】
【００１６】
本発明によれば、汎用性の高い治具台で、所望の配索形状のワイヤハーネスを得ることができるワイヤハーネス成形方法を提供することができるという効果を奏する。
【図面の簡単な説明】
【００１７】
【図１】本発明の実施の形態に係るワイヤハーネス成形方法における電線束の断面図である。
【図２】（ａ）は本発明の実施の形態に係るワイヤハーネス成形方法における編み込み式のシートの斜視図である。（ｂ）は本発明の実施の形態に係るワイヤハーネス成形方法におけるトッピング式のシートの斜視図である。
【図３】本発明の実施の形態に係るワイヤハーネス成形方法における成形治具に電線束を配置したときの斜視図である。
【図４】本発明の実施の形態に係るワイヤハーネス成形方法における成形治具の可動フォークを作動させたときの斜視図である。
【図５】本発明の実施の形態に係るワイヤハーネス成形方法における成形治具の加熱手段で電線束を加熱したときの斜視図である。
【図６】本発明の実施の形態に係るワイヤハーネス成形方法により成形したワイヤハーネスの斜視図である。
【図７】本発明の実施の形態に係るワイヤハーネス成形方法を示すフローチャートである。
【発明を実施するための形態】
【００１８】
図１〜図７を用いて本発明の実施の形態に係るワイヤハーネス成形方法について説明する。
【００１９】
本実施の形態に係るワイヤハーネス成形方法は、複数の電線３の外周に硬化性樹脂を含有するシート５を巻き付けて電線束７を形成する第１工程と、治具台１５上を移動可能に配置された複数の可動フォーク９に電線束７を配置する第２工程と、治具台１５上で所望の可動フォーク９を移動させ電線束７を所望の配索形状に形成する第３工程と、硬化性樹脂を硬化させ前記電線束の配索形状を保持してワイヤハーネス１を形成する第４工程とを有する。
【００２０】
また、硬化性樹脂は、ホットメルトからなり、ホットメルトは、第３工程の後に加熱されて溶融され、第４工程で硬化される。
【００２１】
図１〜図７に示すように、ワイヤハーネス１は、複数の電線３と、この複数の電線３の外周に巻き付けられるシート５とを備えている。
【００２２】
複数の電線３は、それぞれ複数の心線の外周を、絶縁材料からなる絶縁被覆で被覆された被覆電線からなる。
【００２３】
この電線３は、例えば、車両に搭載された電源と機器との間、或いは機器と機器との間に配置され、電源と機器との間、或いは機器と機器との間を電気的に接続する。
【００２４】
このような電線３は、複数が束ねられた状態で、外周にシート５が巻き付けられ、電線束７を構成する。
【００２５】
シート５は、硬化性樹脂としてのホットメルトを編み込んだ編み込み式（図２（ａ）参照）、或いはホットメルトを埋め込んだトッピング式（図２（ｂ）参照）のホットメルトを含有したシートからなる。
【００２６】
このシート５は、複数の電線３の外周に巻き付けられ、電線束７を構成し、加熱されることによってホットメルトが溶融し、複数の電線３間やシート５を構成する繊維内に流入される。
【００２７】
この溶融したホットメルトは、空冷されることによって硬化し、電線束７における所望の断面形状や所望の配索形状を保持し、ワイヤハーネス１を形成する。
【００２８】
このようなワイヤハーネス１の断面形状や配索形状は、成形治具１１によって成形される。
【００２９】
成形治具１１は、治具台１５と、複数（ここでは５つ）の可動フォーク９と、加熱手段１３とを備えている。
【００３０】
治具台１５は、平面を有する筐体状に形成され、内部に複数の可動フォーク９を移動可能に駆動する駆動源（不図示）が収容されている。
【００３１】
複数の可動フォーク９は、それぞれ治具台１５の平面に対して平面方向に移動可能に設けられ、治具台１５と反対側の端部に保持部１７が設けられている。
【００３２】
保持部１７は、電線束７を収容可能に設けられた凹状の収容部と、この収容部にヒンジなどを介して開閉可能に設けられた蓋部とを有している。
【００３３】
この保持部１７は、収容部に電線束７を収容することにより電線束７の断面形状を成形し、蓋部で収容部を閉塞することにより電線束７の断面形状を保持する。
【００３４】
このような複数の可動フォーク９は、保持部１７で電線束７を保持した状態で、ワイヤハーネス１の所望の配索形状に合わせて、例えば、図４の矢印で示すように、治具台１５上を移動する。
【００３５】
このように電線束７を保持する複数の可動フォーク９を治具台１５上で平面方向に移動させてワイヤハーネス１の所望の配索形状を得ることにより、配索形状が形成された型や配索形状に合わせて移動不能なフォークが配置された治具台を用いる必要がなく、１つの治具台１５で様々な配索形状のワイヤハーネス１に対応することができる。
【００３６】
このような治具台１５上を移動する複数の可動フォーク９によって所望の配索形状に形成された電線束７は、加熱手段１３によって加熱される。
【００３７】
加熱手段１３は、複数の可動フォーク９の近傍に配置され、複数の可動フォーク９を作動させ、所望の配索形状に形成された電線束７に対して熱を照射し、シート５に含有されたホットメルトを溶融させる。
【００３８】
この加熱手段１３によって溶融されたホットメルトは、複数の電線３間の隙間やシート５を構成する繊維に含浸され、空冷されることによって硬化し、所望の断面形状や所望の配索形状に成形されたワイヤハーネス１を得ることができる。
【００３９】
このような成形治具１１におけるワイヤハーネス１の成形方法は、図７のフローチャートに示すように、まず、複数の電線３の外周にシート５を巻き付けて電線束７を形成する（第１工程（Ｓ１））。
【００４０】
次に、電線束７を複数の可動フォーク９の保持部１７で保持し、電線束７を治具台１５上で複数の可動フォーク９に配置させる（第２工程（Ｓ２））。
【００４１】
次に、所望の配索形状に合わせて、治具台１５上で複数の可動フォーク９を移動させ、電線束７を所望の配索形状に形成する（第３工程（Ｓ３））。
【００４２】
次に、所望の配索形状に形成された電線束７に対して、加熱手段１３によって熱を照射し、シート５に含有されたホットメルトを溶融させる（Ｓ４）。
【００４３】
そして、加熱手段１３による加熱を停止し、電線束７を空冷させて溶融したホットメルトを硬化させ、所望の断面形状や所望の配索形状となったワイヤハーネス１を形成する（第４工程（Ｓ５））。
【００４４】
このようなワイヤハーネス成形方法では、第２工程において、治具台１５上を移動可能に配置された複数の可動フォーク９に電線束７を配置するので、第３工程において、治具台１５上で所望の可動フォーク９を移動させることにより、電線束５を所望の配索形状に形成することができる。
【００４５】
このため、第３工程では、所望の配索形状に合わせた型や所望の配索形状に合わせて移動不能なフォークが配置された治具台を設ける必要がなく、１つの治具台１５で、電線束９を所望の配索形状に配置することができる。
【００４６】
従って、このようなワイヤハーネス成形方法では、１つの治具台１５上に移動可能に配置された複数の可動フォーク９の移動によって、電線束７を所望の配索形状に形成することができるので、汎用性の高い治具台１５で、所望の配索形状のワイヤハーネス１を得ることができる。
【００４７】
また、硬化性樹脂は、ホットメルトからなるので、第３工程で所望の配索形状に配置された電線束７を加熱してホットメルトを溶融させればよく、容易に所望の配索形状に形成されたワイヤハーネス１を得ることができる。
【００４８】
なお、本発明の実施の形態に係るワイヤハーネス成形方法では、治具台上を移動可能に配置された複数の可動フォークが５つとなっているが、これに限らず、複数の可動フォークを４つ以下、或いは６つ以上としてもよく、得たいワイヤハーネスに合わせて可動フォークの数を適宜設定すればよい。
【００４９】
また、硬化性樹脂は、ホットメルトとなっているが、これに限らず、紫外線硬化樹脂などであってもよい。
【００５０】
硬化性樹脂を紫外線硬化樹脂とした場合には、加熱手段を紫外線照射手段とし、可動フォークの移動によって所望の配索形状に形成された電線束に対して、紫外線照射手段によって紫外線を照射し、紫外線硬化樹脂を硬化させればよい。
【００５１】
さらに、可動フォークは、治具台上を平面方向に移動可能としているが、これに限らず、可動フォークを、平面方向の移動に加えて、治具台の高さ方向（上下方向）に移動可能に配置してもよい。
【符号の説明】
【００５２】
１…ワイヤハーネス
３…電線
５…シート
７…電線束
９…可動フォーク
１５…治具台
【図１】
2018156878.tif 000003
【図２】
2018156878.tif 000004
【図３】
2018156878.tif 000005
【図４】
2018156878.tif 000006
【図５】
2018156878.tif 000007
【図６】
2018156878.tif 000008
【図７】
2018156878.tif 000009